(57)【特許請求の範囲】
【請求項１】
テープの速度状態を表示するテープ速度表示方法において、
複数の制御モードそれぞれに対応して複数のテープ速度が設定され、上記テープ速度のそれぞれに対応する間隔で表示部を点滅させ、
入力されるコマンドに基づいて上記制御モードが遷移するのに伴って、上記テープ速度が第１のテープ速度から第２のテープ速度へ遷移する間では、上記第２のテープ速度より１ステップ遅いテープ速度に対応する間隔で上記表示部を点滅する
ことを特徴とするテープ速度表示方法。
【発明の詳細な説明】
【０００１】
【産業上の利用分野】
この発明は、ビデオテープやオーディオテープ等の早送り時や巻き戻し時におけるテープの速度状態を表示するためのテープ速度表示方法に関する。
【０００２】
【従来の技術】
ビデオテープやオーディオテープ等のテープカセットを挿入し、そのテープカセットに記録された信号を再生したり、所望の信号をそのテープカセットに記録したりする記録再生装置が実用化されている。通常、この記録再生装置は、テープカセットを早送りしたり巻き戻したりする制御モード機能を有すると共に、これらの制御が行われていることを示すディスプレイ部を有する。記録再生装置にテープカセットがローディングされ、例えば、早送りモードや巻き戻しモード等の制御が行われると、適用されたモードに対応する表示がディスプレイ部になされる。
【０００３】
【発明が解決しようとする課題】
早送りモードや巻き戻しモード等に対するディスプレイ部の表示は、テープカセットの回転速度を検出することによってなされる。即ち、記録再生装置には、テープカセットの回転速度検出回路が設けられており、この検出出力に基づいて、現在実行されている制御モードに関する表示がなされる。この場合、回転速度検出回路を設けることによって、装置自体がコスト高になってしまう。
【０００４】
ところで、所定の制御モードの遷移前及び遷移後の状態に対応して、テープカセットの回転速度状態を表示する場合には、正確な表示がなされない場合がある。即ち、例えば、停止状態から高速回転への遷移中における回転速度表示は、停止状態のままだったり、時には、いきなり高速回転の状態になってしまったりして一定ではない。
【０００５】
従って、この発明の目的は、回転速度検出回路を設けることなくテープの速度状態を表示することができると共に、遷移中においても、テープの速度状態を適切に表示することができるテープ速度表示方法を提供することにある。
【０００６】
【課題を解決するための手段】
この発明は、テープの速度状態を表示するテープ速度表示方法において、複数の制御モードそれぞれに対応して複数のテープ速度が設定され、テープ速度のそれぞれに対応する間隔で表示部を点滅させ、入力されるコマンドに基づいて制御モードが遷移するのに伴って、テープ速度が第１のテープ速度から第２のテープ速度へ遷移する間では、第２のテープ速度より１ステップ遅いテープ速度に対応する間隔で表示部を点滅することを特徴とするテープ速度表示方法である。
【０００７】
【作用】
キー入力部２１から入力されたコマンドは、回転制御用コントローラ２３に供給される。回転制御用コントローラ２３により回転装置２５の回転速度が制御される。回転装置２５では、現在のテープの回転情報等を回転制御用コントローラ２３に供給する。その情報に基づいて、回転制御用コントローラ２３は、テープに対する回転制御が遷移中か否かの情報を回転速度表示用コントローラ２２に供給する。遷移中の場合、適用された制御モードの遷移中の回転速度で蛍光表示管部７が駆動される。
【０００８】
【実施例】
以下、この発明によるテープ速度表示方法がビデオテープレコーダ（以下、ＶＴＲとする）に適用された場合の一実施例に関して図面を用いて説明する。図１及び図２は、ＶＴＲの斜視図である。図１において、ＶＴＲ１には、例えばＮＴＳＣ方式で信号が記録されたビデオテープがテープ挿入口２を介して挿入される。テープ挿入口２の下側には、ＬＣＤ部３が設けられ、所定の表示がなされる。４は、トレー部である。例えばトレー部４が矢示方向に押圧されると、トレー部４は、図２に示すように、筐体の前面に位置するように突出される。５は電源ボタン、６はテープイジェクトボタンである。
【０００９】
トレー部４は、図２に示すように、蛍光表示管部７、操作ボタン部８及びジョグダイアル部９等からなる。蛍光表示管部７には、後述するように種々の情報が表示される。操作ボタン部８は、挿入されたビデオテープの再生、早送り、巻き戻し等のボタンを含む。ジョグ／シャトルダイアル部９は、変速再生のためのダイアルである。
【００１０】
図３は、蛍光表示管部７の詳細な正面図である。図３に示されるように、蛍光表示管部７には、曜日表示部１０、編集及び周辺情報表示部１１、テープ情報表示部１２、テープ残量表示部１３等に所定の表示がなされる。テープ残量表示部１３は、適用された制御モードに対応して、例えば点滅表示される。一例として、早送りモードや巻き戻しモードが適用されると点滅の間隔が早くなり、通常再生モードが適用されると点滅の間隔が遅くなる。
【００１１】
図４は、蛍光表示管部７に表示される情報を設定するための回路ブロック図である。以下、図４に示される回路の構成を説明する。図４において、キー入力部２１は、図２に示される操作ボタン部８またはジョグダイアル部９である。キー入力部２１は、回転速度表示用コントローラ２２に接続される。回転速度表示用コントローラ２２は、蛍光表示管部７、回転制御用コントローラ２３及びＲＯＭ２４に接続される。回転制御用コントローラ２３は、回転装置２５に接続される。回転装置２５により、ＶＴＲ１に挿入されたビデオテープ（図示せず）の速度が制御される。
【００１２】
以下、図４に示される回路の動作を説明する。キー入力部２１から出力される早送り等のコマンドは、回転速度表示用コントローラ２２を介して回転制御用コントローラ２３に供給される。このコマンドに基づいて、回転装置２５は、回転制御用コントローラ２３によりその回転を制御される。また、回転装置２５は、ビデオテープをどの程度の速度でどのように制御しているかの情報を回転制御用コントローラ２３に供給する。回転制御用コントローラ２３からは、回転装置２５から供給された情報に基づいて、現在の制御モード情報と回転装置２５が次の制御モードへ遷移中であるか否かの情報とが回転速度表示用コントローラ２２に供給される。回転速度表示用コントローラ２２は、回転制御用コントローラ２３から供給された情報に基づいて、ＲＯＭ２４から所定の情報を検索して読み出す。ＲＯＭ２４から読み出された情報に基づいて、蛍光表示管部７のテープ残量表示部１３が点滅される。
【００１３】
図５は、ＲＯＭ２４に記憶されたデータのテーブルである。なお、ビデオテープの速度は、９ステップからなり、Ｓｐｅｅｄ１が最高速度、数字が大きくなるにつれて順々に速度が遅くなり、Ｓｐｅｅｄ９が最低速度と規定されている。
【００１４】
例えば、選択された制御モードが高速巻き戻し(Hi Speed Rew)モードの場合、前のモードからの遷移中には、Ｓｐｅｅｄ２でビデオテープの速度が制御される。この時、テープ残量表示部１３の点滅は、通常の高速巻き戻しモード時のテープ残量表示の点滅に比べて１ステップ遅いものとされる。遷移時間が経過した後に、高速巻き戻しモードの状態になると、通常の回転速度Ｓｐｅｅｄ１でビデオテープの速度が制御される。これと共に、テープ残量表示部１３は、高速巻き戻しモード本来の点滅でなされる。同様に、早送りモード(FF)、巻き戻しモード(REW) 、記録モード(REC) 、再生モード(PB)、早送り再生モード(CUE) 、巻き戻し再生モード(REV) 、変速再生モード( ×１、−×１、×２、−×２、×４、−×４）、スロー再生モード（SLOW１／５、−SLOW１／５）等の時も、遷移中のテープ速度は、通常のテープ速度に比べて１ステップ遅いものとされる。これに伴って、各モードにおけるテープ残量表示部１３の点滅も上述と同様に変化する。
【００１５】
図６は、再生モードから高速巻き戻しモードに制御モードが変化する時の第１のタイミングチャートである。図６において、Ａは制御モードの切り換え、Ｂは制御モード遷移中信号切り換え、Ｃは回転表示切り換え、Ｄは回転速度レベルの切り換えのタイミングをそれぞれ示す。また、期間ａは再生モード時の、期間ｂはモード遷移中の、期間ｃは高速巻き戻しモード時の期間をそれぞれ示す。なお、図６においては、始めに再生モード（期間ａ）が用いられているものとする。また、期間ａのテープ残量表示部１３には、再生モードに対応する点滅がＳｐｅｅｄ７でなされている。
【００１６】
キー入力部２１から高速巻き戻しモードの切り換え信号が供給されると、ビデオテープに対するＶＴＲ１の制御は、再生モードから高速巻き戻しモードに変化される。この時点で、モード遷移中信号がハイ（以下Ｈとする）レベルとされる（期間ｂ）と共に、テープ残量表示部１３の回転表示は、遷移中に対応してＳｐｅｅｄ２で点滅される。また、図６Ｄに示されるように、この時のテープ速度は、遷移中のものとされる。所定時間経過後、高速巻き戻しモードになると、モード遷移中信号がロー（以下Ｌとする）レベルとされ、テープ残量表示部１３の回転速度がＳｐｅｅｄ１で点滅されると共に、ビデオテープは、Ｓｐｅｅｄ１の速度で制御される（期間ｃ）。
【００１７】
図７は、再生モードから高速巻き戻しモードに制御モードが変化する時の第２のタイミングチャートである。なお、この場合には、例えば回転制御用コントローラ２３にタイマが設けられ、これにより、遷移時間のテープ速度が複数ステップ設けられる。また、図７において、Ａは制御モードの切り換え、Ｂは制御モード遷移中信号切り換え、Ｃは遷移中の速度変化タイマ、Ｄは複数ステップからなる回転速度レベルの切り換え、Ｅは回転表示切り換えのタイミングをそれぞれ示す。また、期間ａは再生モード時の、期間ｂはモード遷移中の、期間ｃは高速巻き戻しモード時の期間をそれぞれ示す。なお、図７に示される初期状態は、図６と同様に再生モード（期間ａ）が用いられているものとする。
【００１８】
また、この時のテープ残量表示部１３には、再生モードに対応する点滅がＳｐｅｅｄ７でなされている。さらに、図７に示されるモード切り換えにおいて、再生モードから高速巻き戻しモードへの遷移中の回転速度レベルは、遷移中におけるタイマのオン／オフの回数により規定される。図７に示されるタイミングチャートでは、タイマは遷移中に３回のオン／オフを繰り返すように設定されている。タイマの第１のオン期間がｂ１とされると共に回転速度レベルがＳｐｅｅｄ５に設定され、第２のオン期間がｂ２とされると共に回転速度レベルがＳｐｅｅｄ３に設定され、第３のオン期間がｂ３とされると共に回転速度レベルがＳｐｅｅｄ２に設定されるものとする。
【００１９】
キー入力部から高速巻き戻しモードの切り換え信号が供給されると、ビデオテープに対するＶＴＲの制御は、再生モードから高速巻き戻しモードに変化される。この時点で、モード遷移中信号がハイ（以下Ｈとする）レベルとされる（期間ｂ）と共に、タイマがオンする。タイマがオフするまでの第１の期間ｂ１では、テープ残量表示部１３の回転表示は、遷移中に対応してＳｐｅｅｄ５で点滅される。第２の期間ｂ２では、テープ残量表示部１３の回転表示は、遷移中に対応してＳｐｅｅｄ３で点滅される。第３の期間ｂ３では、テープ残量表示部１３の回転表示は、遷移中に対応してＳｐｅｅｄ２で点滅される。遷移時間が終了し、高速巻き戻しモードになると、モード遷移中信号がロー（以下Ｌとする）レベルとされ、テープ残量表示部１３の回転速度がＳｐｅｅｄ１で点滅されると共に、ビデオテープは、Ｓｐｅｅｄ１の速度で制御される（期間ｃ）。なお、図７の例では、期間ｂ１での回転速度をＳｐｅｅｄ５に、期間ｂ２での回転速度をＳｐｅｅｄ３に、期間ｂ３での回転速度をＳｐｅｅｄ２にそれぞれ設定したが、各期間における回転速度を他の速度に設定しても何ら問題はない。また、タイマのオン／オフの回数を増加して、遷移中のテープ速度をさらに増加するようにしても良い。
【００２０】
図８は、テープ残量表示部１３に対してどのような表示を行うかを決定するためのフローチャートである。ステップ３１において、ＶＴＲ１の現在の回転速度が初期状態とされる。ここで、キー入力部２１から速度表示用コントローラ２２にコマンドが供給されると（ステップ３２）、入力されたコマンドと初期状態から次の状態を求め、回転制御用コントローラ２３をコマンドの状態に設定する（ステップ３３）。これにより、コマンドの状態に対応して回転装置２５が制御される（ステップ３４）。ステップ３５では、回転装置２５の制御動作が遷移中であるか否かが判断される。遷移中の場合には、コマンドの回転速度よりも１ステップ遅い回転速度でビデオテープの速度が制御されると共に、テープ残量表示部１３の点滅がこの時の回転速度と対応したものとされる（ステップ３６）。
【００２１】
ステップ３２において、コマンド入力がないと判断された場合、処理はステップ３５に進み、以下、上述と同様の処理が行われる。また、ステップ３５において、状態遷移中でないと判断された場合、処理はステップ３７に進む。ステップ３７では、入力されたコマンドに対応した回転速度をＲＯＭ２４から検索し、その回転速度でテープ残量表示部１３の点滅を行う。
【００２２】
なお、ステップ３６での制御は、上述の他に、例えば、回転装置２５の現在の状態とコマンドの状態とで回転方向が逆になった場合、現在の状態の回転方向で最小の速度表示または現在の状態の１／２の速度表示を遷移中に行うようにしても良い。また、テープ残量表示部１３で表示されるテープ残量表示方法は、点滅によるもの以外に、回転速度自体（Ｓｐｅｅｄ１、Ｓｐｅｅｄ２・・・）を直接表示するようにしても良い。さらに、上述の一実施例では、ＶＴＲを適用してこの発明を説明したが、例えばオーディオテープカセット等の記録再生装置にもこの発明を適用することができる。
【００２３】
【発明の効果】
この発明に依れば、回転速度検出回路を設けることなくテープ速度を表示することができるので、回転速度検出回路に関するコスト的な問題を解消することができる。また、遷移中のテープ速度状態を表示することにより、テープ速度の状態を正確に表示することができる。
【図面の簡単な説明】
【図１】この発明が適用されたビデオテープレコーダの斜視図である。
【図２】この発明が適用されたビデオテープレコーダの斜視図である。
【図３】蛍光表示管部の詳細な正面図である。
【図４】蛍光表示管部に表示される情報を設定するための回路ブロック図である。
【図５】ＲＯＭに記憶されたデータテーブルである。
【図６】再生モードから高速巻き戻しモードに制御モードが変化する時の第１のタイミングチャートである。
【図７】再生モードから高速巻き戻しモードに制御モードが変化する時の第２のタイミングチャートである。
【図８】テープ残量表示に対してどのような表示を行うかを決定するためのフローチャートである。
【符号の説明】
１  ビデオテープレコーダ
４  トレー部
７  蛍光表示管部
２２  速度表示用コントローラ
２３  回転表示用コントローラ
２４  ＲＯＭ
２５  回転装置
【図１】
0003543340.tif 000002
【図２】
0003543340.tif 000003
【図３】
0003543340.tif 000004
【図４】
0003543340.tif 000005
【図５】
0003543340.tif 000006
【図６】
0003543340.tif 000007
【図７】
0003543340.tif 000008
【図８】
0003543340.tif 000009